(57)【要約】【課題】移動体による効率的な活動を支援する活動支援システムを提供する。【解決手段】移動局装置４は、地図上に設備の位置を表す情報を表示して、設備の使用を選択するための情報を受け付け、設備の選択結果を表す情報と当該移動局装置４に予め割り当てられた識別情報とを含む選択情報を情報管理サーバ５に送信する。情報管理サーバ５は、移動局装置４から送信される選択情報を受信して蓄積し、移動局装置４から送信された要求に応じて、上記蓄積された選択情報をもとに設備の選択状況を表す情報を送信する。移動局装置４は、情報管理サーバ５から送信された情報をもとに少なくとも他の移動体による設備の選択状況とその設備を選択した移動体を表す情報とを地図上に表示する。【選択図】      図２
2009223825.tif 000002
【特許請求の範囲】
【請求項１】
移動体に設けられた移動局装置と、該移動局装置と無線回線を介して接続される管理装置とを具備する活動支援システムであって、
前記移動局装置は、
所定の設備情報を表示する手段と、
前記所定の設備を選択し使用することを示す設備選択情報を前記管理装置に送信する手段と
を具備し、
前記管理装置は、
前記移動局装置から送信される前記設備選択情報を蓄積する手段と、
前記移動局装置からの要求に応じて前記蓄積された選択情報をもとに前記所定の設備の情報を前記移動局装置へ送信する手段と
を具備することを特徴とする活動支援システム。
【発明の詳細な説明】
【技術分野】
【０００１】
この発明は、例えば、消火活動を行う際の消防隊など、移動体による活動を支援するための活動支援システムに関する。
【背景技術】
【０００２】
従来、消防活動において１１９番入電後、各複数の隊が火災元に出場する際、火災地点の地図、及び火災地点を中心とした水利（消火栓）情報を移動局で取得して表示することは可能であった。しかし、消火活動を実施するにあたり、どの隊がどの水利を使用するかを前もって把握する手段がなかった。
【０００３】
なお、本願に関連する公知文献として、次のようなものがある（例えば、特許文献１を参照。）。
【特許文献１】特開２００５−１０１９２０公報
【発明の開示】
【発明が解決しようとする課題】
【０００４】
上述したように、移動局において、どの地点に水利が存在するかは事前に把握することはできるが、どの車両がどの水利を使用しているかは、現場に到着するまでわからなかった。このため、１つの水利に複数の隊が到着してしまうなど、消火活動を行う際の効率が悪かった。
【０００５】
この発明は上記事情に着目してなされたもので、その目的とするところは、移動体による効率的な活動を支援する活動支援システムを提供することにある。
【課題を解決するための手段】
【０００６】
上記目的を達成するためにこの発明に係る活動支援システムは、移動体に設けられた移動局装置と、該移動局装置と無線回線を介して接続される管理装置とを具備する活動支援システムであって、前記移動局装置は、所定の設備情報を表示する手段と、前記所定の設備を選択し使用することを示す設備選択情報を前記管理装置に送信する手段と
を具備し、前記管理装置は、前記移動局装置から送信される前記設備選択情報を蓄積する手段と、前記移動局装置からの要求に応じて前記蓄積された選択情報をもとに前記所定の設備の情報を前記移動局装置へ送信する手段とを具備するものである。
【０００７】
また、この発明に係る活動支援システムは、複数の移動体それぞれに設けられる複数の移動局装置と、前記複数の移動局装置と無線回線を介してそれぞれ接続される管理装置とを具備し、前記複数の移動体が地理的に分散配置された設備を選択的に使用して行う活動を支援する活動支援システムであって、前記複数の移動局装置それぞれは、地図上に前記設備の位置を表す情報を表示して、前記設備の使用を選択するための情報を受け付ける手段と、前記受け付けられた設備の選択結果を表す情報と当該移動局装置に予め割り当てられた識別情報とを含む選択情報を前記管理装置に送信する手段と、前記設備の選択状況を表す情報を取得するための要求を前記管理装置に送信する手段と、前記要求に応じて前記管理装置から送信された情報をもとに、少なくとも他の移動体による前記設備の選択状況とその設備を選択した移動体を表す情報とを前記地図上に表示する手段とを具備し、前記管理装置は、前記複数の移動局装置から送信される選択情報を受信する手段と、前記受信された選択情報を蓄積する手段と、前記移動局装置から送信された要求に応じて前記蓄積された選択情報をもとに前記設備の選択状況を表す情報を送信する手段とを具備する。
【０００８】
また、上記活動支援システムにおいて、前記移動局装置は、前記移動体の位置情報を取得する手段と、前記移動体の動態情報を取得する手段とをさらに具備し、前記選択情報を前記管理装置に送信する手段は、前記取得された位置情報と動態情報とをもとに当該地点に対応する設備を前記移動体が使用しているか否かを判定し、この判定結果に基づいて前記選択情報を前記管理装置に送信する。
【０００９】
上記構成によれば、例えば消防活動において、各消防隊が消火活動を行う上で事前に使用する水利を選択することで、現場に到着する前に他隊の選択状況を把握することができるため、水利の選択が重複することがなく、効率的な消火活動が可能となる。
【発明の効果】
【００１０】
したがってこの発明によれば、移動体による効率的な活動を支援する活動支援システムを提供することにある。
【発明を実施するための最良の形態】
【００１１】
以下、図面を参照してこの発明の実施形態について詳細に説明する。  
（第１の実施形態）  
図１は、この発明の第１の実施形態に係る活動支援システムの概略構成図である。  
この活動支援システムは、各移動局（移動体）に活動命令を行う上位装置１、各装置間の音声又はデータ通信を制御する回線交換部２、移動局から送信される情報を蓄積、管理及び、配信する情報管理サーバ５、回線交換部２と有線回線等で接続され、移動局間の無線中継を行う基地局３−１〜３−３、及び、主に陸上を移動して他移動局と無線通信を行う移動局４−１，４−２を備える。なお、基地局及び移動局の数は一例であり、任意に選択可能である。
【００１２】
本システムは、例えば、消防・救急活動を支援するために用いられ、移動局４−１，４−２は、ポンプ車等の消防・救急車両に搭載されるものとする。１１９番入電後、上位装置１は回線交換部２及び通信範囲内の基地局３−１〜３−３を介して移動局４−１，４−２に出場指令を行う。この出場指令にしたがって、移動局４−１，４−２は火災もと地点（以下、火点）周辺に分散配置された消火栓（以下、水利）を使用して消火活動を行う。
【００１３】
図２は、各移動局４−１，４−２に搭載される移動局装置の構成を示すブロック図である。  
移動局装置４は、制御部４１、無線通信インタフェース（無線通信Ｉ／Ｆ）４２、ＧＰＳ受信部４３、地図データ記憶部４４、操作表示部４５、及び水利選択情報送信部４６を備える。無線通信Ｉ／Ｆ４２は、制御部４１による制御の下、通信範囲内の基地局３−１との間で無線通信を行う。ＧＰＳ受信部４３は、ＧＰＳ衛星から自局の位置情報を受信する。受信された位置情報は定期的に上位装置１に送られる。地図データ記憶部４４には、建物や道路等が示された地図データが記憶される。操作表示部４５は、車両に搭載される操作器であり、操作入力用の操作ボタンと、液晶表示器（ＬＣＤ）等の表示装置や車両内のスピーカなどで構成される。水利選択情報送信部４６は、制御部４１により実行される制御プログラムであり、操作表示部４５に入力された選択した水利を表す情報を当該移動局に予め割り当てられた識別情報（移動局ＩＤ）と共に水利選択情報として、基地局３−１を介して情報管理サーバ５に送信する。
【００１４】
図３は、情報管理サーバ５の構成を示すブロック図である。  
情報管理サーバ５は、制御部５１、水利位置データベース５２、水利選択状況データベース５３、通信インタフェース（通信Ｉ／Ｆ）５４、及びデータベース管理部５５を備える。通信Ｉ／Ｆ５４は、制御部５１による制御の下、通信範囲内の基地局３−１との間で通信を行う。水利位置データベース５２は、水利の位置（例えば、緯度経度）を格納する。水利選択状況データベース５３には、水利の選択状況（移動局による選択の有無）と、水利の使用状況（使用中／未使用／使用済等）とが蓄積される。
【００１５】
データベース管理部５５は、制御部５１により実行される制御プログラムであり、各移動局４−１，４−２から送られてくる水利選択情報をもとに、移動局ＩＤと選択された水利を表す情報（選択水利）とを対応付けて水利選択状況データベース５３に蓄積する。また、出場指令があった移動局に向けて、水利位置データベース５２及び水利選択状況データベース５３を参照して、火点周辺の水利位置を表す情報及び他の移動局による水利の選択状況を表す情報を送信する。
【００１６】
次に、このように構成された活動支援システムの動作について説明する。  
例えば、上位装置１から１件の１１９番（以下、事案）に対して複数の移動局４−１，４−２に出場指令が行われたものとする。この場合、同一事案に対して複数の消防隊（以下、隊）が出場するため、火点周辺の水利を隊毎に重複を避けて選択できるようにする必要がある。
【００１７】
出場指令が行われると、まず、情報管理サーバ５は、水利位置データベース５２を参照して、出場指令があった移動局装置４に向けて、火点周辺の水利位置を表す情報を表す情報を送信する。移動局装置４は、情報管理サーバ５から送信された火点周辺の水利位置を表す情報をもとに地図データ記憶部４４から火点周辺の地図データを読み出して、操作表示部４５の画面に地図上に水利の位置を表した情報を表示する。移動局装置４は、操作表示部４５において選択された水利を表す情報を移動局ＩＤと共に選択情報として情報管理サーバ５に送信する。情報管理サーバ５は、移動局装置４から送信された選択情報を受信して水利選択状況データベース５３に蓄積する。
【００１８】
さらに、移動局装置４は、情報管理サーバ５から当該事案の火点周辺の水利位置を表す情報を取得するとともに、同一事案で出場している他隊により選択されている水利を表す情報を情報管理サーバ５に要求する。情報管理サーバ５は、この要求に応じて水利選択状況データベース５３を参照し、他の移動局により既に選択されている水利を表す情報を返送する。移動局装置４は、返送された情報をもとに、他の移動局による水利の選択状況を表す情報を操作表示部４５の画面上に表示する。
【００１９】
この画面イメージの一例を図４に示す。図４は、隊Ａの移動局装置４の表示例であり、現在位置４００が隊の名称（隊Ａ）と共に表示されている。水利４０１〜４０３が地図上の配置位置に表示され、水利４０１は隊Ａに、水利４０２は隊Ｂによって既に選択されていることが把握できる。このように、どの水利がどの隊により既に選択済みであるかを事前に把握することができる。
【００２０】
以上述べたように、上記第１の実施形態では、移動局装置４は、地図上に設備の位置を表す情報を表示して、設備の使用を選択するための情報を受け付け、設備の選択結果を表す情報と当該移動局装置４に予め割り当てられた識別情報とを含む選択情報を情報管理サーバ５に送信する。情報管理サーバ５は、移動局装置４から送信される選択情報を受信して蓄積し、移動局装置４から送信された要求に応じて、上記蓄積された選択情報をもとに設備の選択状況を表す情報を送信する。移動局装置４は、情報管理サーバ５から送信された情報をもとに、少なくとも他の移動体による設備の選択状況とその設備を選択した移動体を表す情報とを地図上に表示する。
【００２１】
したがって上記第１の実施形態によれば、例えば消防活動において、各消防隊が活動を行う上で事前に使用する水利を選択することで、現場に到着する前に他隊の選択状況を把握することができるため、水利の選択が重複することがなく、効率的な消火活動が可能となる。
【００２２】
（第２の実施形態）  
この発明の第２の実施形態は、移動局装置が移動体の動態情報を取得し、動態情報と移動体の位置情報とをもとに当該地点の設備の使用状況を判断し、使用中と判断された水利を選択したものとして選択情報を自動的に情報管理サーバに送信するようにしたものである。以下、図面を参照しながら本発明の第２の実施形態について、上記第１の実施形態との差異を中心に説明する。
【００２３】
図５は第２の実施形態に係る移動局装置の構成を示すブロック図である。なお、図５において、上記第１の実施形態の図２と同一部分については同一符号を付し、詳しい説明は省略する。図５において、移動局装置４は、第１の実施形態の構成に加え、動態情報取得部４７をさらに備えることを特徴とする。また、水利選択情報送信部４６の動作に違いがある。
【００２４】
動態情報取得部４７は、当該装置が搭載される移動体の動態情報を取得する。ここでは、例えば、移動局装置４はポンプ車に搭載され、動態情報取得部４７は、動態情報として、消防ポンプによる吸い上げの状態を表す動力切替情報を取得するものとする。また、水利選択情報送信部４６は、動態情報取得部４７により取得される動力切替情報とＧＰＳ受信部４３により受信される位置情報とをもとに当該地点の水利の使用及び活動（吸い上げ中／吸い上げ停止）状況を判断し、使用中と判断された水利を選択したものとして選択及び活動情報を情報管理サーバ５に送信する。
【００２５】
このように構成することで、消防隊員による選択操作が無くとも、自動的に水利の選択及び活動情報を情報管理サーバに送信することができるようになる。また、ポンプ車の動力切替情報をもとに水利の選択の有無を判断するため、実際の水利の最新の使用状況を的確に把握できるという利点がある。
【００２６】
なお、この発明は、上記各実施形態そのままに限定されるものではない。例えば、上記各実施形態では、移動局へ送信する水利の使用状況情報は、使用されている水利の情報を移動局へ送信するように構成したが、これに限らず、現在の水利状況の情報を全て送信し、表示させるようにしても良い。すなわち、この発明は、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【図面の簡単な説明】
【００２７】
【図１】この発明の第１の実施形態に係る活動支援システムの概略構成図。
【図２】第１の実施形態に係る活動支援システムの移動局装置の機能ブロック図。
【図３】第１の実施形態に係る活動支援システムの情報管理サーバの機能ブロック図。
【図４】移動局装置の操作表示部に表示される画面イメージ図。
【図５】第２の実施形態に係る活動支援システムの移動局装置の機能ブロック図。
【符号の説明】
【００２８】
１…上位装置、２…回線交換部、３−１〜３−３…基地局、４−１，４−２…移動局、５…情報管理サーバ、４…移動局装置、４１…制御部、４２…無線通信インタフェース、４３…ＧＰＳ受信部、４４…地図データ記憶部、４５…操作表示部、４６…水利選択情報送信部、５１…制御部、５２…水利位置データベース、５３…水利選択状況データベース、５４…通信インタフェース、５５…データベース管理部、４７…動態情報取得部。
【図１】
2009223825.tif 000003
【図２】
2009223825.tif 000004
【図３】
2009223825.tif 000005
【図４】
2009223825.tif 000006
【図５】
2009223825.tif 000007